(57)【要約】【課題】地下茎を刈り込んで刃毀れがなく、刃先に触れて怪我をすることがなく、安全に取り扱うことが出来、構造を単純化し、市販の部材を使用して簡便かつ経済的に地下茎刈込み装置を提供する。【解決手段】台車１６にチェーンソー１１を搭載して地下茎刈込み装置を構成する。台車１６には、回転軸１７を水平方向におき、垂直方向に揺動可能な揺動部材１８と回転軸１７を支持する固定部材１９を設ける。チェーンソー１１を揺動部材１８にガイドバー１２とソーチェーン１３を垂直方向に向けて装着する。ガイドバーの先端２２とソーチェーンの先端２３は、台車１６の底面２０から地面２１に向けて出没可能にする。【選択図】図３
2017163882.tif 000002
【特許請求の範囲】
【請求項１】
（１）  台車（１６）にチェーンソー（１１）を搭載して構成され、
（２）  台車（１６）は、回転軸（１７）を水平方向におき、垂直方向に揺動可能な揺動部材１８と回転軸（１７）を支持する固定部材１９を有し、
（３）  その揺動部材（１８）に、ガイドバー（１２）とソーチェーン（１３）を垂直方向に向けてチェーンソー（１１）が担持されており、
（４）  ガイドバーの先端（２２）とソーチェーンの先端（２３）が、台車（１６）の底面（２０）から地面（２１）に向けて出没可能になっている地下茎刈込み装置。
【請求項２】
底面が地面（２１）に向けて開放された開口（２４）となっている逆Ｕ字形断面形状の安全カバー（２５）が台車（１６）に付設されており、ガイドバーの先端（２２）とソーチェーンの先端（２３）が安全カバー（２５）と地面（２１）の間で揺動昇降可能になっており、その上昇位置において、ガイドバーの先端（２２）とソーチェーンの先端（２３）が安全カバー（２５）に格納されている請求項１に記載の地下茎刈込み装置。
【請求項３】
揺動部材（１８）の揺動を止める揺動ストッパーが、揺動部材（１８）と固定部材（１９）の間に介在している請求項１と２の何れかに記載の地下茎刈込み装置。
【請求項４】
台車（１６）の基盤（２６）に対して、固定部材（１９）が昇降可能になっている請求項１と２と３の何れかに記載の地下茎刈込み装置。
【請求項５】
固定部材（１９）を昇降駆動する昇降駆動装置を具備する請求項４に記載の地下茎刈込み装置。
【請求項６】
固定部材（１９）の昇降を止める昇降ストッパーを具備する請求項４と５の何れかに記載の地下茎刈込み装置。
【発明の詳細な説明】
【技術分野】
【０００１】
本発明は、芝生や笹藪、竹藪、竹林等の地下茎を刈り込む地下茎刈込み装置、特に、ゴルフ場のグリーンの周囲に食み出た芝生の地下茎を刈り込んでグリーンの縁取りを整えるために有用な自動地下茎刈込み装置に関するものである。
【背景技術】
【０００２】
芝生の自動刈込み装置として、携帯エンジンで回転刃を回転駆動する回転刃刈込み装置（例えば、特許文献１参照）や、複数の板状櫛刃を摺動させるバリカン式刈込み装置（例えば、特許文献２参照）が公知である。
【先行技術文献】
【特許文献】
【０００３】
【特許文献１】特許第４２２４５４８号公報（特開２００７−０２０５８８）
【特許文献２】特許第４２３９０３７号公報（特開２００９−０４５０５９）
【発明の概要】
【発明が解決しようとする課題】
【０００４】
従来の回転刃刈込み装置もバリカン式刈込み装置も、二枚の刃物の間に植物を挟み込んで剪断する二枚刃刈込み装置であり、芝生や雑草の葉や茎等の地上茎の刈り込みは使用し得ても、それを地下茎の刈り込みに使用するときは、地下茎と共に砂や小石等の鉱物が二枚の刃物の間に嵌まり込んで刃物が刃毀れして使用し得なくなる。
【０００５】
又、従来の回転刃刈込み装置もバリカン式刈込み装置も、刃物がむき出しになっており、刃先に触れて怪我をする危険がある。
【０００６】
そこで本発明は、地下茎を刈り込んでも刃毀れが起きない地下茎刈込み装置を提供することを第１の目的とする。
【０００７】
本発明の第２の目的は、刃先に触れて怪我をすることがなく、安全に取り扱うことが出来る安全性に優れた地下茎刈込み装置を提供することにある。
【０００８】
本発明の第３の目的は、地下茎刈込み装置の構造を単純化し、市販の部材を使用して簡便に製作し、経済的に提供することにある。
【課題を解決するための手段】
【０００９】
本発明に係る地下茎刈込み装置は、（１）  台車１６にチェーンソー１１を搭載して構成され、（２）  台車１６は、回転軸１７を水平方向におき、垂直方向に、つまり上下に揺動可能な揺動部材１８と回転軸１７を支持する固定部材１９を有し、（３）  その揺動部材１８に、ガイドバー１２とソーチェーン１３を垂直方向に向けてチェーンソー１１が担持されており、（４）  ガイドバーの先端２２とソーチェーンの先端２３が、台車１６の底面２０から地面２１に向けて、つまり上下に出没可能になっていることを第１の特徴とする。
【００１０】
本発明に係る地下茎刈込み装置の第２の特徴は、上記第１の特徴に加えて、底面が地面２１に向けて開放された、つまり下向きの開口２４となっている逆Ｕ字形断面形状の安全カバー２５が台車１６に付設されており、ガイドバーの先端２２とソーチェーンの先端２３が、安全カバー２５と地面２１の間で揺動昇降可能になっており、その上昇位置において、ガイドバーの先端２２とソーチェーンの先端２３が安全カバー２５に格納されている点にある。
【００１１】
本発明に係る地下茎刈込み装置の第３の特徴は、上記第１と第２の何れかの特徴に加えて、揺動部材１８の揺動を止める揺動ストッパーが、揺動部材１８と固定部材１９の間に介在している点にある。
【００１２】
本発明に係る地下茎刈込み装置の第４の特徴は、上記第１、第２、第３の何れかの特徴に加えて、台車１６の基盤２６に対して、固定部材１９が昇降可能になっている点にある。
【００１３】
本発明に係る地下茎刈込み装置の第５の特徴は、上記第４の特徴に加えて、固定部材１９を昇降駆動する昇降駆動装置を具備する点にある。
【００１４】
本発明に係る地下茎刈込み装置の第６の特徴は、上記第４と第５の何れかの特徴に加えて、固定部材１９の昇降を止める昇降ストッパーを具備する点にある。
【発明の効果】
【００１５】
本発明の地下茎刈込み装置に使用のソーチェーンは、ナイフやスコップ、鍬、斧、鉈と同様に切創して切断する一枚刃であり、砂や小石に触れても噛み込むことはなく、鍬や鉈と同様に地下茎の刈り込みに使用することが出来る。
そのソーチェーンの先端２３は、台車１６の底面２０から地面２１に向けて出没可能になっており、地下茎の刈り込みに使用時にだけ地面２１に向けて突出すればよく、刈り込みに不使用時には垂直方向に揺動させて吊り上げておくことが出来る。
【００１６】
そのとき、底面が地面２１に向けて開放された下向きの開口２４となっている逆Ｕ字形断面形状の安全カバー２５が台車１６に付設されていれば、その吊り上げたソーチェーンの先端２３が下向きの開口２４に下から上に向けて嵌まり込んで安全カバー２５に格納されることになるので、使用時にも不使用時にも刃先に触れて怪我をすることがなく、安全に取り扱うことが出来る安全性に優れた地下茎刈込み装置が得られる。
【００１７】
本発明の地下茎刈込み装置では、揺動部材１８の揺動を止める揺動ストッパーが、揺動部材１８と固定部材１９の間に介在しており、不使用時に安全カバー２５に格納された地下茎刈込み装置はロック状態になるので、地下茎刈込み装置の移動中にチェーンソー１１が飛び出る危険も回避される。
【００１８】
本発明の地下茎刈込み装置では、搭載されたチェーンソー１１を固定する固定部材１９が台車１６の基盤２６に対して昇降可能になっているので、チェーンソー１１を昇降してソーチェーンの先端２３の地中への刈込み深さを加減することが出来、生育深さの異なる地下茎に対応することが出来る。
【００１９】
本発明の地下茎刈込み装置では、固定部材１９を昇降駆動する昇降駆動装置を具備するので、刈込み作業場でソーチェーンの先端２３の地中への刈込み深さを即座に加減することが出来る。
【００２０】
本発明の地下茎刈込み装置では、固定部材１９の昇降を止める昇降ストッパーを具備しているので、ソーチェーンの先端２３の地中への刈込み深さを固定して、安全に刈込み作業をすることが出来る。
【００２１】
本発明の地下茎刈込み装置は、台車１６にチェーンソー１１を搭載して構成され、その台車１６やチェーンソー１１は市販されており、回転軸１７を介して連結された揺動部材１８と固定部材１９は蝶番として市販されており、台車１６の基盤２６に対して固定部材１９を昇降駆動する昇降駆動装置には自動車の常備品としてのパンタグラフ式ジャッキ３７を使用することが出来るので、それらの部材を使用して簡便に地下茎刈込み装置を製作し経済的に提供することが出来る。
【図面の簡単な説明】
【００２２】
【図１】本発明に係る地下茎刈込み装置の主要部の組立斜視図である。
【図２】本発明に係る地下茎刈込み装置の主要部の斜視図である。
【図３】本発明に係る地下茎刈込み装置の使用状態での側面図である。
【発明を実施するための形態】
【００２３】
前記の通り、揺動部材１８と固定部材１９には蝶番を使用することが出来、チェーンソー１１は、原動部１４を揺動部材１８に取り付けられる。
図示する揺動部材１８と固定部材１９は平板であるが、揺動部材１８や固定部材１９はアングル（Ｌ形鋼）でもよく、それらをピン接合して使用することも出来る。
安全カバー２５は、その固定部材１９に固定すると、チェーンソー１１と一体的に昇降し上下に移動するので、揺動部材１８と一体的に揺動してチェーンソー１１を吊り上げるときは、固定部材１９の昇降位置に無関係にソーチェーンの先端２３は、下向きの開口２４に下から上に向けて嵌まり込んで確実に安全カバー２５に格納されることになる。
揺動部材１８の揺動を止める揺動ストッパーは、揺動部材１８と固定部材１９とのそれぞれに舌片２７・２９を向い合わせに突設し、それらの舌片２７・２９に貫通孔２８・３０を向い合わせに穿設し、それらの貫通孔２８・３０に軸桿３１を出没自在に差し込んで構成することが出来る。
【００２４】
揺動部材１８の揺動を止める揺動ストッパーは、その揺動部材１８と固定部材１９に向い合わせに突設した舌片２７・２９にラック（歯形）を刻設し、それらのラック（歯形）に楔や軸桿を嵌め込んで構成することも出来る。
又、揺動部材１８の揺動を止める揺動ストッパーは、揺動部材１８と固定部材１９にラチェット機構を応用して構成することも出来る。
【００２５】
台車１６の基盤２６に対して固定部材１９を昇降駆動する昇降駆動装置には自動車の常備品としてのパンタグラフ式ジャッキ３７の他に流体圧ジャッキ、スライドジャッキ、シールドジャッキ、スクリュージャッキ、螺子式ジャッキ、レールジャッキ等の種々のジャッキを使用することが出来る。
【００２６】
固定部材１９を昇降駆動する昇降駆動装置には、ジャッキの他に梃子を使用することが出来る。
その場合、固定部材１９の降下を止めるストッパーには、サイズの異なるスペーサーや楔を基盤２６と固定部材１９の間に挟み込んで使用することが出来る。
【００２７】
固定部材１９の昇降駆動を安定にするためには、基盤２６と固定部材１９の間に定規盤３２を配置し、その定規盤３２と基盤２６および定規盤３２と固定部材１９のそれぞれに嵌合する軸桿３３・３５とバイプ３４・３６を突設するとよい。
その場合、それらの軸桿３３・３５とバイプ３４・３６は軸芯と軸桿の外径とバイプの内径を揃えるとよく、好ましくは、定規盤３２に上下に突設する軸桿３３・３５は共通する一本の軸桿で構成する。
【００２８】
そのように突設される軸桿３３・３５とバイプ３４・３６は、ガイド部材となるので、固定部材１９を振れなくスムースに昇降駆動することが出来る。
固定部材１９を振れを確実に止めるためには、上向きの軸桿３３を固定部材１９のバイプ３４に嵌め込んで固定し、固定部材１９を定規盤３２と一体に昇降駆動するとよい。
【００２９】
台車１６には、地中に押し込まれることのないガイドバーやソーチェーンの中間部を囲む筒状の補助カバー１５を付設しておくとよく、チェーンソー１１はガイドバー１２とソーチェーン１３を補助カバー１５に嵌め込んで台車１６に搭載される。
台車１６には、それを走行操作するハンドル３８が適宜装着される。
【産業上の利用可能性】
【００３０】
本発明の地下茎刈込み装置は、農機具や土木器具として使用することも出来る。
【符号の説明】
【００３１】
１１：チェーンソー
１２：ガイドバー
１３：ソーチェーン
１４：原動部
１５：補助カバー
１６：台車
１７：回転軸
１８：揺動部材
１９：固定部材
２０：底面
２１：地面
２２：ガイドバーの先端
２３：ソーチェーンの先端
２４：開口
２５：安全カバー
２６：基盤
２７：舌片
２８：貫通孔
２９：舌片
３０：貫通孔
３１：軸桿
３２：定規盤
３３：軸桿
３４：バイプ
３５：軸桿
３６：バイプ
３７：パンタグラフ式ジャッキ
３８：ハンドル
【図１】
2017163882.tif 000003
【図２】
2017163882.tif 000004
【図３】
2017163882.tif 000005